(57)【要約】【課題】底体及び外壁体からなる合成樹脂製の四角開口容器状の容器体の開口周縁部に設けられた短尺及び長尺を直角に連設してなる曲尺を収納可能な開口周縁部の直角角部を含む曲尺収納凹部に曲尺を収納することにより容器体内の収納空間の有効利用を図ることができ、収納効率を向上することができる。【解決手段】底体及び外壁体３からなる合成樹脂製の四角開口容器状の容器体１からなり、容器体の開口周縁部１ａに短尺Ｗ1及び長尺Ｗ2を直角に連設してなる曲尺Ｗを収納可能な開口周縁部の直角角部Ｗ3を含む曲尺収納凹部９を設けてなる。【選択図】図１
2005206240.tif 000002
【特許請求の範囲】
【請求項１】
底体及び外壁体からなる合成樹脂製の四角開口容器状の容器体からなり、上記容器体の開口周縁部に短尺及び長尺を直角に連設してなる曲尺を収納可能な開口周縁部の直角角部を含む曲尺収納凹部を設けてなることを特徴とする容器。
【請求項２】
底体及び外壁体からなる合成樹脂製の四角開口容器状の容器体と、該容器体の上面開口部を被嵌可能な蓋体とからなり、上記容器体の開口周縁部に短尺及び長尺を直角に連設してなる曲尺を収納可能な開口周縁部の直角角部を含む曲尺収納凹部を設けてなることを特徴とする容器。
【請求項３】
底体及び外壁体からなる合成樹脂製の四角開口容器状の容器体と、該容器体の上面開口部を被嵌可能な蓋体と、該容器体内に取外可能に内装される内装ケースとからなり、上記内装ケースの開口周縁部に短尺及び長尺を直角に連設してなる曲尺を収納可能な開口周縁部の直角角部を含む曲尺収納凹部を設けてなることを特徴とする容器。
【請求項４】
上記曲尺収納凹部は上記曲尺を載置可能な底面板及び該曲尺の両側面に当接可能な対向一対の起立板からなることを特徴とする請求項１〜３のいずれか１項に記載の容器。
【請求項５】
上記対向一対の起立板に上記底面板に載置された曲尺の両側面を露出可能な指掴切欠部を設けてなることを特徴とする請求項４記載の容器。
【請求項６】
上記容器体に着脱自在に被嵌可能な蓋体を設けてなることを特徴とする請求項１記載の容器。
【請求項７】
上記容器体に被嵌可能な蓋体をヒンジ機構及び尾錠機構により開閉自在に設けてなることを特徴とする請求項２又は３記載の容器。
【請求項８】
上記容器体の外壁体に容器体の内部を区画する仕切板を着脱機構により着脱自在に配設し、該着脱機構は、上記外壁体に形成された雌係合部と上記仕切板の各側端面に形成された相互に上下方向に摺動係合自在な雄係合部とからなることを特徴とする請求項１〜７のいずれか１項に記載の容器。
【請求項９】
上記外壁体の外面に上記雌係合部の形成位置に対応して雌係合部を形成するための上下方向に延びる凸条部を形成してなることを特徴とする請求項８記載の容器。
【発明の詳細な説明】
【技術分野】
【０００１】
本発明は例えば曲尺などの建築用具、建築部品、機械部品等の小物類の収納や運搬に用いられる容器に関するものである。
【背景技術】
【０００２】
従来、この種の容器として、合成樹脂製の開口容器状の容器体の外壁体に容器体の内部を区画する仕切板を着脱機構により着脱自在に配設し、容器体内の収納空間を複数個の仕切板の着脱により大小に区画変更可能に設け、各種小物類の大きさに対する収納の融通性をもたせた構造のものが知られている。
【特許文献１】実用新案登録第３０００８７８号公報
【発明の開示】
【発明が解決しようとする課題】
【０００３】
しかしながら上記従来構造の場合、容器体の内部を仕切板により区画変更することはできるものの、例えば、測定器具としての曲尺は、短尺及び長尺を直角に連設してなる比較的嵩が大きな形状であるから、容器体の底面に曲尺を収納した場合には仕切板を取り付けることが困難となったり、仕切板を取り付けたときには曲尺の収納が困難となることがあり、それだけで収納空間を塞いでしまい、収納効率が低下することがあるという不都合を有している。
【課題を解決するための手段】
【０００４】
本発明はこれらの不都合を解決することを目的とするもので、本発明のうちで、請求項１記載の発明は、底体及び外壁体からなる合成樹脂製の四角開口容器状の容器体からなり、上記容器体の開口周縁部に短尺及び長尺を直角に連設してなる曲尺を収納可能な開口周縁部の直角角部を含む曲尺収納凹部を設けてなることを特徴とする容器にある。
【０００５】
又、請求項２記載の発明は、底体及び外壁体からなる合成樹脂製の四角開口容器状の容器体と、該容器体の上面開口部を被嵌可能な蓋体とからなり、上記容器体の開口周縁部に短尺及び長尺を直角に連設してなる曲尺を収納可能な開口周縁部の直角角部を含む曲尺収納凹部を設けてなることを特徴とする容器にある。
【０００６】
又、請求項３記載の発明は、底体及び外壁体からなる合成樹脂製の四角開口容器状の容器体と、該容器体の上面開口部を被嵌可能な蓋体と、該容器体内に取外可能に内装される内装ケースとからなり、上記内装ケースの開口周縁部に短尺及び長尺を直角に連設してなる曲尺を収納可能な開口周縁部の直角角部を含む曲尺収納凹部を設けてなることを特徴とする容器にある。
【０００７】
又、請求項４記載の発明は、上記曲尺収納凹部は上記曲尺を載置可能な底面板及び該曲尺の両側面に当接可能な対向一対の起立板からなることを特徴とするものであり、又、請求項５記載の発明は、上記対向一対の起立板に上記底面板に載置された曲尺の両側面を露出可能な指掴切欠部を設けてなることを特徴とするものであり、又、請求項６記載の発明は、上記容器体に着脱自在に被嵌可能な蓋体を設けてなることを特徴とするものであり、又、請求項７記載の発明は、上記容器体に被嵌可能な蓋体をヒンジ機構及び尾錠機構により開閉自在に設けてなることを特徴とするものである。
【０００８】
又、請求項８記載の発明は、上記容器体の外壁体に容器体の内部を区画する仕切板を着脱機構により着脱自在に配設し、該着脱機構は、上記外壁体に形成された雌係合部と上記仕切板の各側端面に形成された相互に上下方向に摺動係合自在な雄係合部とからなることを特徴とするものであり、又、請求項９記載の発明は、上記外壁体の外面に上記雌係合部の形成位置に対応して雌係合部を形成するための上下方向に延びる凸条部を形成してなることを特徴とするものである。
【発明の効果】
【０００９】
本発明は上述の如く、請求項１記載の発明にあっては、底体及び外壁体からなる合成樹脂製の四角開口容器状の容器体の開口周縁部に設けられた短尺及び長尺を直角に連設してなる曲尺を収納可能な開口周縁部の直角角部を含む曲尺収納凹部に曲尺を収納することにより容器体内の収納空間の有効利用を図ることができ、収納効率を向上することができる。
【００１０】
又、請求項２記載の発明にあっては、底体及び外壁体からなる合成樹脂製の四角開口容器状の容器体の開口周縁部に設けられた短尺及び長尺を直角に連設してなる曲尺を収納可能な開口周縁部の直角角部を含む曲尺収納凹部に曲尺を収納することにより容器体内の収納空間の有効利用を図ることができ、収納効率を向上することができる。
【００１１】
又、請求項３記載の発明にあっては、底体及び外壁体からなる合成樹脂製の四角開口容器状の容器体内に取り外し自在に内装される内装ケースの開口周縁部に設けられた短尺及び長尺を直角に連設してなる曲尺を収納可能な開口周縁部の直角角部を含む曲尺収納凹部に曲尺を収納することにより容器体内の収納空間の有効利用を図ることができ、収納効率を向上することができる。
【００１２】
又、請求項４記載の発明にあっては、上記曲尺収納凹部は上記曲尺を載置可能な底面板及び曲尺の両側面に当接可能な対向一対の起立板からなるので、曲尺を曲尺収納凹部内に確実に収納することができ、又、請求項５記載の発明にあっては、上記対向一対の起立板に上記底面板に載置された曲尺の両側面を露出可能な指掴切欠部を設けてなるから、曲尺収納凹部内に収納されている曲尺を指により容易に取り出すことができ、又、請求項６記載の発明にあっては、この場合、上記容器体に着脱自在に被嵌可能な蓋体を設けているから、曲尺収納凹部内の曲尺を覆うことができ、又、請求項７記載の発明にあっては、上記容器体に被嵌可能な蓋体をヒンジ機構及び尾錠機構により開閉自在に設けてなるから、容器体内を開閉することができ、使用の利便性を高めることができる。
【００１３】
又、請求項８記載の発明にあっては、上記着脱機構は、上記外壁体に形成された雌係合部と上記仕切板の各側端面に形成された相互に上下方向に摺動係合自在な雄係合部とからなるので、仕切板の着脱構造を簡素化することができ、又、請求項９記載の発明にあっては、上記外壁体の外面に上記雌係合部の形成位置に対応して雌係合部を形成するための上下方向に延びる凸条部を形成しているから、外壁体の全周の厚さを厚くせずに、外壁体の内面を収納に邪魔となる突出部分が存在しない平坦面に形成することができ、それだけ収納スペースを良好に確保することができ、かつ、外壁体の外面の凸条部は容器体の補強用リブとしても作用し、即ち、凸条部は収納スペースを減ずることなく、雌係合部を形成するための形成部材及び補強リブを兼用することになり、一層収納の融通性を高めることになる。
【発明を実施するための最良の形態】
【００１４】
図１乃至図１１は本発明の実施の形態例を示し、図１乃至図６は第一形態例、図７乃至図１１は第二形態例である。
【００１５】
図１乃至図６の第一形態例において、１は容器体であって、合成樹脂により四角開口容器状に製作され、容器体１に合成樹脂製の蓋体２を着脱自在に被嵌し、この容器体１の対向する外壁体３・３間に仕切板４を着脱機構５により着脱自在に配設し、この着脱機構５として、相互に上下方向に摺動係合自在にして外壁体３・３にそれぞれ形成された対向一対の複数対の雌係合部６・６・・・と仕切板４の各側端面にそれぞれ形成された雄係合部７・７とを形成してなり、上記外壁体３・３の外面に雌係合部６・６の形成位置に対応して雌係合部６・６を形成するための上下方向に延びる凸条部８を形成して構成している。
【００１６】
この場合、上記雄係合部７・７及び雌係合部６・６・・・を上記外壁体間の対向距離の増加時に相互に鉤状に係止して外壁体３・３からの仕切板４の離脱を阻止可能な鉤状に形成され、この場合、雄係合部７・７は略Ｔ条状に形成され、雌係合部６・６は略凹条状に形成されている。
【００１７】
９は曲尺収納凹部であって、上記容器体１の開口周縁部１ａに開口周縁部１ａの直角角部１ｂを含んで形成され、短尺Ｗ1及び長尺Ｗ2を直角部Ｗ3により直角に連設してなる曲尺Ｗを直角角部１ｂを含む開口周縁部１ａに収納可能に形成されている。
【００１８】
この場合、上記曲尺収納凹部９は上記曲尺Ｗを載置可能な底面板９ａ及び曲尺Ｗの両側面に当接可能な対向一対の起立板９ｂ・９ｂからなり、かつ、この対向一対の起立板９ｂ・９ｂに上記底面板９ａに載置された曲尺Ｗの両側面を露出可能な指掴切欠部９ｃ・９ｃを形成している。
【００１９】
この実施の第一形態例は上記構成であるから、底体及び外壁体３からなる合成樹脂製の四角開口容器状の容器体１の開口周縁部１ａに設けられた短尺Ｗ1及び長尺Ｗ2を直角に連設してなる曲尺Ｗを収納可能な開口周縁部１ａの直角角部１ｂを含む曲尺収納凹部９に曲尺Ｗを収納することにより、仕切板４による収納区間の区画変更に影響を受けずに曲尺を収納することができ、それだけ容器体１内の収納空間の有効利用を図ることができ、収納効率を向上することができる。
【００２０】
又、この場合、上記曲尺収納凹部９は上記曲尺Ｗを載置可能な底面板９ａ及び曲尺Ｗの両側面に当接可能な対向一対の起立板９ｂ・９ｂからなるので、曲尺Ｗを曲尺収納凹部９内に確実に収納することができ、又、この場合、上記対向一対の起立板９ｂ・９ｂに上記底面板９ａに載置された曲尺Ｗの両側面を露出可能な指掴切欠部９ｃ・９ｃを設けてなるから、曲尺収納凹部９内に収納されている曲尺Ｗを指により容易に取り出すことができ、又、この場合、上記容器体１に着脱自在に被嵌可能な蓋体２を設けているから、曲尺収納凹部９内の曲尺Ｗを覆うことができる。
【００２１】
又、この場合、上記着脱機構５は、上記外壁体３・３に形成された雌係合部６と上記仕切板４の各側端面に形成された相互に上下方向に摺動係合自在な雄係合部７とからなるので、仕切板４の着脱構造を簡素化することができ、又、この場合、上記外壁体３・３の外面に上記雌係合部６の形成位置に対応して雌係合部６を形成するための上下方向に延びる凸条部８を形成しているから、外壁体３の全周の厚さを厚くせずに、外壁体３の内面を収納に邪魔となる突出部分が存在しない平坦面に形成することができ、それだけ収納スペースを良好に確保することができ、かつ、外壁体３の外面の凸条部８は容器体１の補強用リブとしても作用し、即ち、凸条部８は収納スペースを減ずることなく、雌係合部６を形成するための形成部材及び補強リブを兼用することになり、一層収納の融通性を高めることになる。
【００２２】
又、この場合、上記雄係合部７及び雌係合部６を上記外壁体３・３間の対向距離の増加時に相互に鉤状に係止して外壁体３からの仕切板４の離脱を阻止可能な鉤状に形成しているから、収納した小物類の過大な重量や過大な大きさの小物類を無理に収納しょうとする開き力により外壁体３・３間の対向距離が増加し、この距離の増加により仕切板４が外壁体３から外れて取れようとしても、雌係合部６及び雄係合部７は互いに鉤状に係止し合い、外壁体３・３からの仕切板４の離脱を確実に阻止することができ、又、この場合、上記雄係合部７は略Ｔ条状に形成され、上記雌係合部６は略凹条状に形成されているから、外壁体３・３間の距離を増加させようとする開き力の方向以外の分力がもたらす略凹条状の雌係合部６の凹形状の口開き変形を阻止することができ、外壁体３・３からの仕切板４の離脱を一層確実に阻止することができる。
【００２３】
図７乃至図１１の第二形態例は別例構造を示し、この場合、底体及び外壁体３からなる合成樹脂製の四角開口容器状の容器体１と、容器体１の上面開口部をヒンジ機構１０及び尾錠機構１１により被嵌可能な蓋体２と、容器体１内に取外可能に内装される内装ケース１２とからなり、この容器体１の開口周縁部１ａ及び上記内装ケース１２の開口周縁部１２ａに短尺Ｗ1及び長尺Ｗ2を直角に連設してなる曲尺Ｗを収納可能な開口周縁部１ａ・１２ａの直角角部１ｂ・１２ｂを含む曲尺収納凹部９・９をそれぞれ設けて構成されている。
【００２４】
この場合、上記曲尺収納凹部９は、容器体１側にあっては、上記曲尺Ｗを載置可能な底面板９ａ及び曲尺Ｗの両側面に当接可能な対向一対の起立板９ｂ・９ｂからなり、又、内装ケース１２側にあっては、上記曲尺Ｗを載置可能な底面板９ａ及び曲尺Ｗの両側面に当接可能な対向一対の起立板９ｂ・９ｂからなり、かつ、この対向一対の起立板９ｂ・９ｂに上記底面板９ａに載置された曲尺Ｗの両側面を露出可能な指掴切欠部９ｃ・９ｃを形成している。
【００２５】
又、この場合、上記内装ケース１２は合成樹脂により四角浅皿トレー状に形成され、容器体１内に持上取外可能に内装され、中央部に持手部１２ｃを立設している。
【００２６】
この第二形態例にあっては、底体及び外壁体３からなる合成樹脂製の四角開口容器状の容器体１の開口周縁部１ａ及び内装ケース１２の開口周縁部１ａ・１２ａに設けられた短尺Ｗ1及び長尺Ｗ2を直角に連設してなる曲尺Ｗを収納可能な開口周縁部１ａ・１２ａの直角角部１ｂ・１２ｂを含む曲尺収納凹部９に曲尺Ｗを収納することにより収納空間の有効利用を図ることができ、収納効率を向上することができる。
【００２７】
又、この場合、上記容器体１に被嵌可能な蓋体２をヒンジ機構１０及び尾錠機構１１により開閉自在に設けてなるから、容器体１内を開閉することができ、使用の利便性を高めることができる。
【００２８】
尚、本発明は上記実施の形態例に限られるものではなく、容器体１、蓋体２、外壁体３、仕切板４、雌係合部６及び雄係合部７の構造や数や雌係合部６及び雄係合部７の鉤形状、内装ケース１２等は適宜変更して設計され、又、上記実施の形態例では、外壁体３・３間に仕切板４を着脱自在に係合する構造となっているが、容器体１に中壁体が形成され、この中壁体と外壁体３との間に仕切体４を配置する構造にも適用することもできるものである。
【００２９】
以上、所期の目的を充分達成することができる。
【図面の簡単な説明】
【００３０】
【図１】本発明の実施の第一形態例の全体斜視図である。
【図２】本発明の実施の第一形態例の全体平面図である。
【図３】本発明の実施の第一形態例の部分平面図である。
【図４】本発明の実施の第一形態例の部分断面図である。
【図５】本発明の実施の第一形態例の部分平断面図である。
【図６】本発明の実施の第一形態例の部分斜視図である。
【図７】本発明の実施の第二形態例の全体斜視図である。
【図８】本発明の実施の第二形態例の全体斜視図である。
【図９】本発明の実施の第二形態例の平断面図である。
【図１０】本発明の実施の第二形態例の部分縦断面図である。
【図１１】本発明の実施の第二形態例の部分縦断面図である。
【符号の説明】
【００３１】
Ｗ    曲尺
Ｗ1    短尺
Ｗ2    長尺
Ｗ3    直角部
１    容器体
１ａ    開口周縁部
１ｂ    直角角部
２    蓋体
３    外壁体
４    仕切板
５    着脱機構
６    雌係合部
７    雄係合部
８    凸条部
９    曲尺収納凹部
９ａ    底面板
９ｂ    起立板
９ｃ    指掴切欠部
１０    ヒンジ機構
１１    尾錠機構
１２    内装ケース
【図１】
2005206240.tif 000003
【図２】
2005206240.tif 000004
【図３】
2005206240.tif 000005
【図４】
2005206240.tif 000006
【図５】
2005206240.tif 000007
【図６】
2005206240.tif 000008
【図７】
2005206240.tif 000009
【図８】
2005206240.tif 000010
【図９】
2005206240.tif 000011
【図１０】
2005206240.tif 000012
【図１１】
2005206240.tif 000013